(57)【特許請求の範囲】
【請求項１】
ＲＦコイルを有してなる受信部と、所定のシーケンスに基づき前記ＲＦコイル用いて被検体から取得した受信信号により前記被検体の画像を取得する制御部を備え、前記制御部が、前記ＲＦコイルの感度分布データを用いて、前記画像の感度不均一を補正する磁気共鳴イメージング装置であって、
前記制御部は、感度分布計測時と本計測時の前記被検体の位置情報を測定し、測定した２つの前記位置情報の差分に基づき、本計測時の前記画像の感度不均一の補正を行うことを特徴とする磁気共鳴イメージング装置。
【請求項２】
請求項１に記載の磁気共鳴イメージング装置であって、
前記制御部は、前記感度分布計測および前記本計測の直前に前記位置情報を取得することを特徴とする磁気共鳴イメージング装置。
【請求項３】
請求項１に記載の磁気共鳴イメージング装置であって、
前記制御部は、前記感度分布計測時の計測データの一部を用いて、前記感度分布計測時の前記位置情報を算出することを特徴とする磁気共鳴イメージング装置。
【請求項４】
請求項１に記載の磁気共鳴イメージング装置であって、
前記制御部は、前記本計測時の計測データの一部を用いて、前記本計測時の前記位置情報を算出することを特徴とする磁気共鳴イメージング装置。
【請求項５】
請求項１に記載の磁気共鳴イメージング装置であって、
前記ＲＦコイルは複数のコイルエレメントからなり、
前記制御部は、複数の前記コイルエレメントが受信した受信信号を合成して得た本計測時の前記画像に対し、前記位置情報の差分に基づき前記画像の感度不均一の補正を行う、
ことを特徴とする磁気共鳴イメージング装置。
【請求項６】
前請求項１に記載の磁気共鳴イメージング装置であって、
前記ＲＦコイルは複数のコイルエレメントからなり、
前記制御部は、複数の前記コイルエレメントが受信した受信信号を合成して前記感度分布データを得、前記位置情報の差分に従い、合成後の前記感度分布データを移動・変形することを特徴とする磁気共鳴イメージング装置。
【請求項７】
前請求項１に記載の磁気共鳴イメージング装置であって、
前記ＲＦコイルは複数のコイルエレメントからなり、
前記制御部は、複数の前記コイルエレメント毎に移動・変形量を算出し、算出した前記移動・変形量に従い、前記感度分布データの補正を行った後、合成を行う、
ことを特徴とする磁気共鳴イメージング装置。
【請求項８】
請求項１に記載の磁気共鳴イメージング装置であって、
前記ＲＦコイルは複数のコイルエレメントからなり、
前記制御部は、複数の前記コイルエレメントの受信信号の合成前に、複数の前記コイルエレメント各々が取得した前記感度分布データに対して前記変形・移動量に基づく補正を行う、
ことを特徴とする磁気共鳴イメージング装置。
【請求項９】
所定のシーケンスにより、ＲＦ受信コイル用いて被検体から取得した受信信号から前記被検体の画像を取得し、前記ＲＦ受信コイルの感度分布データを用いて、取得した前記画像の感度不均一を補正する制御部を備えた磁気共鳴イメージング装置の画像補正方法であって、
感度分布計測時と本計測時の前記被検体の位置情報を測定し、測定した前記位置情報の差分を考慮して、本計測時の前記画像の感度不均一の補正を行うことを特徴とする磁気共鳴イメージング装置の画像補正方法。
【請求項１０】
請求項９に記載の磁気共鳴イメージング装置の画像補正方法であって、
前記位置情報の差分に従い前記感度分布データを変位し、変位後の前記感度分布データに基づき、本計測時の前記画像の感度不均一の補正を行うことを特徴とする磁気共鳴イメージング装置の画像補正方法。
【発明の詳細な説明】
【技術分野】
【０００１】
本発明は、被検体中の水素や燐等からの核磁気共鳴（Nuclear Magnetic Resonance、以下、ＮＭＲという）信号を測定し、核の密度分布や緩和時間分布等を画像化する磁気共鳴イメージング（Magnetic Resonance Imaging、以下、ＭＲＩという）装置に係り、特に受信に使用する高周波（Radio Frequency、以下、ＲＦという）コイルの感度分布データに起因する画像の感度不均一を補正する画像補正技術に関する。
【背景技術】
【０００２】
ＭＲＩ装置は、被検体、特に人体の組織を構成する原子核スピンが発生するＮＭＲ信号を受信信号として計測し、その頭部、腹部、四肢等の形態や機能を２次元的に或いは３次元的に画像化する装置である。撮像においては、ＮＭＲ信号には、傾斜磁場によって異なる位相エンコードが付与されるとともに周波数エンコードされて、時系列データとして計測される。計測されたＮＭＲ信号は、２次元又は３次元フーリエ変換されることにより画像に再構成される。
【０００３】
近年のＭＲＩ装置では複数のＲＦ受信コイルを有したマルチプルコイルを用いて、ＲＦ受信コイル毎に得られた複数の断層画像を合成して合成画像を取得することにより、目的の画像を得ることが行われている。この手法は、高いＳ／Ｎ比を有する合成画像を取得できる利点があるものの、各ＲＦ受信コイルの感度分布データの不均一性が合成画像に反映されてしまい、感度又は輝度の不均一（以下、感度不均一と称す）な合成画像が取得されてしまうことがある。
【０００４】
この合成画像における感度不均一を補正する技術として、ＲＦ受信コイルの感度分布データを算出し、その感度分布データに基づき補正係数データを算出し、この補正係数データを用いて合成画像の感度不均一を補正する技術がある。このＲＦ受信コイルの感度分布データを算出する方法の一例としては、均一な感度分布データを持つ全身用ＲＦコイルを用いて取得された画像に対する、ＲＦ受信コイルを用いて得られた画像の比から、ＲＦ受信コイルの感度分布データを算出する手法(特許文献1)、ＲＦ受信コイルの低周波成分を近似的にＲＦ受信コイルの感度分布データとみなす手法(特許文献2)、均一なファントムをあらかじめ撮像し、その断層画像を感度分布データとみなす方法(特許文献3)、磁場解析手法により数値演算にてＲＦ受信コイルの感度分布データを算出する手法(非特許文献1)などがある。
【０００５】
また、感度分布データと画像データが不一致である場合、感度補正がうまくいかないので、これらデータの不一致を補償する方法が提案されている(特許文献4)。
【先行技術文献】
【特許文献】
【０００６】
【特許文献１】特開平8-56928号公報
【特許文献２】特開2002-272705号公報
【特許文献３】特開平7-59750号公報
【特許文献４】特表2007-503904号公報
【非特許文献】
【０００７】
【非特許文献１】ISMRM 1405, 1999 DF Kacher, et al．
【発明の概要】
【発明が解決しようとする課題】
【０００８】
しかし、特許文献４に記載された技術においては、複数のＲＦ受信コイルエレメントから構成されるマルチプルコイルを使用する場合などにおいて、被検体自身や被検体が動くことにより各コイルエレメントが独立して動くようなケースに対しての補償は考慮されていない。
【０００９】
本発明の目的は、ＭＲＩ装置において、感度分布データと合成画像データの不一致に基づく画像輝度補正を行う際に、感度分布計測および本計測間で被検体が動いた場合の補償を行う磁気共鳴イメージング装置、およびその画像補正方法を提供することにある。
【課題を解決するための手段】
【００１０】
上記の目的を達成するため、本発明においては、ＲＦコイルを有してなる受信部と、所定のシーケンスに基づきＲＦコイルを用いて被検体から取得された受信信号から、被検体の画像を取得する制御部を備え、この制御部がＲＦコイルの感度分布データを用いて、画像の感度、感度不均一を補正する磁気共鳴イメージング装置であって、制御部は、感度分布計測時と本計測時の被検体の位置情報を測定し、測定したこれら二つの位置情報の差異に基づき、本計測時の画像の感度分布の補正を行う構成の磁気共鳴イメージング装置、及びその画像補正方法を提供する。
【００１１】
すなわち、本発明の装置における画像処理プロセスは以下のように構成される。感度分布データを取得する直前または最中と、合成画像データを取得する直前若しくは最中に、ＲＦコイル全体、若しくはコイルエレメント毎に三次元被検体位置座標測定用のデータである位置情報を取得し、二つの位置情報の差分から被検体の変形量および移動量を算出し、その算出値に基づき感度分布データ或いは合成画像データの移動・変形を行う。
【発明の効果】
【００１２】
本発明によれば、感度分布データ取得後から合成画像データ取得間に被検体が何らかの理由により動いてしまったとしても、感度不均一をより正確に補正することが出来るようになる。
【図面の簡単な説明】
【００１３】
【図１】各実施例に係るＭＲＩ装置の全体基本構成の一例を示す図である。
【図２Ａ】第１の実施例に係る、ｋ空間のＸ，Ｙ，Ｚの３軸方向の一次元データの取得を説明するための図である。
【図２Ｂ】第１の実施例に係る、３軸方向の一次元画像データの作成を説明するための図である。
【図２Ｃ】第１の実施例に係る、３軸方向の被検体の移動、形状変形を説明するための図である。
【図２Ｄ】第１の実施例に係る、Ｘ、Ｙ方向の感度分布直前データおよび本計測直前データの変移量作成を説明するための図である。
【図２Ｅ】第１の実施例に係る、移動・変形処理を説明するための図である。
【図３Ａ】第１の実施例に係る装置の処理フローチャートであり、位置計測にボディコイルを使用する場合を示す図である。
【図３Ｂ】第１の実施例に係る装置の処理フローチャートであり、位置計測にマルチプルアレイコイルを使用する場合を示す図である。
【図４Ａ】第２の実施例に係る装置の処理フローチャートであり、本計測の直前に位置計測を行う場合を示す図である。
【図４Ｂ】第２の実施例に係る装置の処理フローチャートであり、本計測時に位置計測を行う場合を示す図である。
【図５Ａ】第３の実施例に係る装置の処理に係り、マルチプルコイルにおけるＲＦ受信コイル毎1次元データ取得を説明する図である。
【図５Ｂ】第３の実施例に係る装置の処理に係り、移動・変形処理および感度分布計測合成画像作成を説明する図である。
【図６】第３の実施例に係る装置の処理フローチャートを示す図である。
【図７】第４の実施例に係る装置の処理フローチャートを示す図である。
【発明を実施するための形態】
【００１４】
以下、添付図面に従って本発明のＭＲＩ装置の好ましい実施形態について詳説する。なお、各実施形態を説明するための図面において、同一機能を有するものは同一符号を付け、その繰り返しの説明は省略する。本明細書において、ＭＲＩ装置で画像を撮像する対象を、被検体あるいは被検体と呼ぶ。また、制御部のＣＰＵ等によってプログラムで実行される「処理」を「機能」、「プログラム」、「部」あるいは「手段」と呼ぶ場合がある。例えば、「感度補正処理」を「感度補正機能」、「感度補正プログラム」、「感度補正部」あるいは「感度補正手段」等である。更に、被検体位置計測で得られる被検体の画像の位置及び大きさあるいは形状を、「位置情報」と総称することとする。
【００１５】
最初に、各実施例に共通するＭＲＩ装置の一例の全体概要を図面に基づき説明する。図１は、各実施例に係るＭＲＩ装置の全体構成の一例を示すブロック図である。このＭＲＩ装置は、ＮＭＲ現象を利用して被検体の断層画像を得るもので、図１に示すように、静磁場発生系2と、傾斜磁場発生系3と、送信系5と、受信系6と、信号処理系7と、シーケンサ4と、処理部である中央処理装置（Central Processing Unit、以下ＣＰＵという）8とを備えて構成される。
【００１６】
静磁場発生系2は、垂直磁場方式であれば、被検体1の周りの空間にその体軸と直交する方向に、水平磁場方式であれば、体軸方向に均一な静磁場を発生させるもので、被検体1の周りに永久磁石方式、常電導方式あるいは超電導方式の静磁場発生源が配置されている。
【００１７】
傾斜磁場発生系3は、ＭＲＩ装置の座標系（静止座標系）であるＸ，Ｙ，Ｚの3軸方向に巻かれた傾斜磁場コイル9と、それぞれの傾斜磁場コイルを駆動する傾斜磁場電源10とから成り、後述のシ−ケンサ4からの命令に従ってそれぞれのコイルの傾斜磁場電源10を駆動することにより、Ｘ，Ｙ，Ｚの３軸方向に傾斜磁場Gx，Gy，Gzを印加する。撮影時には、スライス面（撮影断面）に直交する方向にスライス方向傾斜磁場パルス（Gs）を印加して被検体1に対するスライス面を設定し、そのスライス面に直交して且つ互いに直交する残りの2つの方向に位相エンコード方向傾斜磁場パルス（Gp）と周波数エンコード方向傾斜磁場パルス（Gf）を印加して、エコー信号にそれぞれの方向の位置についての情報をエンコードする。
【００１８】
シーケンサ4は、高周波磁場パルス（以下、「ＲＦパルス」という）と傾斜磁場パルスをある所定のパルスシーケンスで繰り返し印加する制御のための手段で、ＣＰＵ8の制御で動作し、被検体1の断層画像のデータ収集に必要な種々の命令を送信系5、傾斜磁場発生系3、および受信系6に送る。シーケンサ4とＣＰＵ8とを総称して制御部と称することができる。
【００１９】
送信系5は、被検体1の生体組織を構成する原子の原子核スピンに核磁気共鳴を起こさせるために、被検体１にＲＦパルスを照射するもので、高周波発振器11と変調器12と高周波増幅器13と送信側の高周波コイル（送信コイル）14aとから成る。高周波発振器11から出力された高周波パルスをシーケンサ4からの指令によるタイミングで変調器12により振幅変調し、この振幅変調された高周波パルスを高周波増幅器13で増幅した後に被検体1に近接して配置された高周波コイル14aに供給することにより、ＲＦパルスが被検体1に照射される。
【００２０】
受信系6は、被検体1の生体組織を構成する原子核スピンの核磁気共鳴により放出されるエコー信号（ＮＭＲ信号）を受信信号として検出するもので、受信側の高周波コイル（受信コイル）14bと信号増幅器15と直交位相検波器16と、Ａ／Ｄ変換器１７とから成る。送信側の高周波コイル14aから照射された電磁波によって誘起された被検体1の応答のＮＭＲ信号が被検体１に近接して配置された高周波コイル14bで検出され、信号増幅器15で増幅された後、シーケンサ4からの指令によるタイミングで直交位相検波器16により直交する二系統の信号に分割され、それぞれがＡ／Ｄ変換器17でディジタル量に変換されて、信号処理系7に送られる。 
信号処理系７は、各種データ処理と処理結果の表示及び保存等を行うもので、光ディスク19、磁気ディスク18等の外部記憶装置と、ＣＲＴ等からなるディスプレイ20とを有し、受信系6からのデータがＣＰＵ8に入力されると、制御部を構成するＣＰＵ8が信号処理、画像再構成等の処理を実行し、その結果である被検体1の断層画像をディスプレイ20に表示すると共に、外部記憶装置の磁気ディスク18等に記録する。
【００２１】
操作部25は、ＭＲＩ装置の各種制御情報や上記信号処理系7で行う処理の制御情報を入力するもので、トラックボール又はマウス23、及び、キーボード24から成る。この操作部25はディスプレイ20に近接して配置され、操作者がディスプレイ20を見ながら操作部25を通してインタラクティブにＭＲＩ装置の各種処理を制御するために用いられる。
【００２２】
なお、図1のＭＲＩ装置において、送信側の高周波コイル14aと傾斜磁場コイル９は、被検体1が挿入される静磁場発生系2の静磁場空間内に、垂直磁場方式であれば被検体1に対向して、水平磁場方式であれば被検体１を取り囲むようにして設置されている。また、受信側の高周波コイル14bは、被検体1に対向して、或いは取り囲むように設置されている。
【００２３】
現在、ＭＲＩ装置の撮像対象核種は、臨床で普及しているものとしては、被検体の主たる構成物質である水素原子核（プロトン）である。プロトン密度の空間分布や、励起状態の緩和時間の空間分布に関する情報を画像化することで、人体頭部、腹部、四肢等の形態または、機能を2次元もしくは3次元的に撮像することができる。
【実施例１】
【００２４】
次に、第1の実施例に係るＭＲＩ装置の動作を図２Ａ〜２Ｅ、図３Ａ、３Ｂに基づき説明する。
【００２５】
まず、図２Ａに示すように、被検体201から感度分布計測で取得したデータのうち、各k空間のＸ、Ｙ、Ｚ座標軸上の第１のデータ202、203、204を取り出す。次に、感度分布計測に使用するパルスシーケンスを用いて、Ｘ、Ｙ、Ｚ軸方向に対し周波数エンコードのみを使用して、各k空間座標軸上の第２のデータを被検体位置計測のため取り出す。
【００２６】
次に図２Ｂに示すように、第１のデータ202、203、204を１次元フーリエ変換して、Ｘ、Ｙ、Ｚ軸上の1次元プロジェクション像205、206、207を取得し、同様に第２のデータの１次元プロジェクション像を得、第１のデータと第２のデータそれぞれの像の位置と大きさあるいは形状を示す位置情報を測定する。
【００２７】
図２Ｃに示すように、感度分布計測と画像取得のための本計測との間で、被検体の体動や呼吸動により位置移動208や形状変形209が起こるため、本実施例においては、Ｘ軸、Ｙ軸、Ｚ軸各々において、図２Ｄに示すように、第１のデータ、第２のデータ各々の画像の位置及び大きさより、変形量および移動量210、211、212を算出する。算出したデータ210、211、212を用いて、図２Ｅに示すように、Ｘ、Ｙ、Ｚ軸各々において、感度分布データの移動・変形処理213、214を行い、合成画像と大きさおよび位置を一致させる。なお、Ｚ軸方向の移動・変形処理は図示を省略した。その後、感度分布像の作成を行い、作成した感度分布データに基づき感度補正処理を行う。
【００２８】
以上説明した本実施例のＭＲＩ装置の動作について、図３Ａの処理フローチャートを用いて説明する。なお、特に断らない限り、以下のフローチャートの各ステップは、図１に示した装置の制御部であるシーケンサ4とＣＰＵ8におけるプログラムなどに基づく処理として実行されることは言うまでもない。
【００２９】
まず、図２Ａ、図２Ｂを用いて説明したように、ステップ301において、感度分布計測を行い、感度分布計測画像を取得し、この計測したデータの一部である周波数空間軸上のデータからk空間軸上のデータを取り出し、各軸に対して1次元フーリエ変換を行う。それぞれのデータに対して閾値処理を行い、被検体の軸ごとの位置と大きさあるいは形状である位置情報を測定する(S301)。この場合の被検体の位置検出は、感度分布計測の最中に行うことに対応する。この際、使用するコイルは全身コイルでもマルチプルコイルでも良い。複数のＲＦ受信コイルからなるマルチプルコイル対応の場合の動作は、後で図３Ｂを用いて説明する。
【００３０】
ステップ302において、ステップ301と同様のパルスシーケンスを用い、Ｘ、Ｙ、Ｚ軸方向に対し周波数エンコードのみ使用して、軸毎の1次元データを取得した後、同様にフーリエ変換と処理を行い、各軸の被検体位置と形状である位置情報を計測する(S302)。この場合の被検体の位置計測は、本計測の直前に行うことに対応する。
【００３１】
続いて、ステップ305の本計測を行っている間に、ステップ303の位置・形状算出処理、およびステップ304の感度分布計測データ移動・変形処理を行う。
【００３２】
ステップ303においては、図２Ｄで示したように、ステップ301とステップ302から得た被検体位置と形状を示す位置情報の差分処理により、各軸の移動量と変形量を算出する(S303)。そして、ステップ304において、図２Ｅで示したように、算出した各軸の移動量と変形量に基づいて感度分布計測画像の移動・拡大処理を行う(S304)。
【００３３】
ステップ305においては、通常の撮影と同様に被検体の本計測を行い、被検体の画像を取得する(S305)。
【００３４】
ステップ306において、ステップ304で移動・変形させた感度分布画像を用いて、本計測で取得した被検体画像の感度補正処理を行う(S306)。なお、移動・拡大処理は感度分布計測画像と被検体の本計測画像間の相対的は処理であるため、本計測が高速で実行できる場合は、本計測した被検体画像に対して移動・変形処理を行い、その後感度補正処理を行うことも可能である。
【００３５】
最後に、ステップ307において、感度補正処理を行った被検体画像を、図１の信号処理系7のディスプレイ20に表示する(S307)。
【００３６】
本実施例において、ステップ301における感度分布計測のデータ並びにステップ302における被検体位置計測(2)の位置情報のデータを取得する際にマルチプルコイルを使用する場合は、図３Ｂに示すように、ステップ308の合成画像処理(1)(S308)、及びステップ309の合成画像処理(2)(S309)が挿入される。この合成画像処理(1)、(2)においては、SOS(Sum Of Square)法などに代表されるような合成処理を行い、1次元データを作成する。そして、これら合成画像処理(1)、(2)による合成後のデータを用いて移動・変形処理を行う(S304)。
【００３７】
本実施例によれば、感度分布データ取得時と本計測画像取得時において、感度分布データ取得の最中と、本計測画像データ取得の直前に位置情報を取得し、両位置情報の差分処理により各軸の移動量と変形量を算出して感度分布データあるいは、本計測画像データを補正した後感度補償を行うため、被検体が何らかの理由により動いてしまったとしても、感度不均一をより正確に補正することが出来る。
【実施例２】
【００３８】
次に、第２の実施例について図４Ａ、図４Ｂを用いて説明する。第1の実施例と異なる点は、感度分布計測(S301)の直前に周波数エンコードのみを使用するパルスシーケンスを用いて、Ｘ、Ｙ、Ｚ軸方向について被検体位置計測（１）を行う(S310)にある。すなわち、感度分布計測時の位置計測を、感度分布計測の直前に行っていることになる。また、周波数エンコードのみを使用するパルスシーケンスを用いて、本計測の直前に同様にＸ、Ｙ、Ｚ軸方向に対し被検体位置計測（２）(S302)を行う、あるいは本計測(S305)のデータの一部である周波数空間軸上のデータからk空間軸上のデータを取り出す。前者は本計測時の被検体の位置情報を取得する位置計測を、本計測の直前に行っていることになり、後者は本計測時の被検体の位置計測を、本計測の最中に行っていることに対応する。
【００３９】
この第２の実施例の動作について図４Ａを用いて説明する。なお、本計測データの一部を位置情報の検出に用いる後者の手法は、図４Ｂに説明する。以下、先の実施例１と異なる箇所のみを説明し、同じ箇所の説明は省略する。
【００４０】
まず、ステップ310にて、被検体をＸ、Ｙ、Ｚ軸方向について一次元計測し、計測したデータに対し閾値処理を行い、被検体の軸ごとの位置と形状である位置情報を測定する被検体位置計測（１）を感度分布計測の直前に行う(S310)。この際、使用するコイルは全身コイルでも複数のＲＦ受信コイルからなるマルチプルコイルでも良い。
【００４１】
ステップ302にて、本計測直前の被検体の位置情報の検出のため、ステップ310と同様の計測と処理を行い、各軸の被検体位置と形状あるいは大きさである位置情報を計測する被検体位置計測（２）を行う(S302)。そのほかは実施例１と同様である。
【００４２】
次に第２の実施例において、被検体位置計測（２）を省略し、本計測データを被検体の位置検出に用いる手法、すなわち本計測の最中に被検体位置計測を行う場合について図４Ｂを用いて説明する。以下異なる部分のみを説明し、同じ箇所の説明は省く。
【００４３】
ステップ305の本計測(S305)を行った後に、ステップ303、ステップ304の処理を行う。
【００４４】
すなわち、ステップ305にて本計測を行い、本計測画像を取得する(S305)。そして、計測した周波数空間軸上のデータからk空間軸上のデータを取り出し、各軸に対して1次元フーリエ変換を行う。それぞれのデータに対して閾値処理を行い、被検体の軸ごとの位置と大きさである位置情報を測定し、被検体位置計測（１）で得られた位置情報のデータとの差分処理により、各軸の移動量と変形量を算出する(S303)。その他のステップ304、306、307等はこれまでの実施例と同様であり、説明を省略する。
【００４５】
本実施例によれば、感度分布計測(S301)の直前と、本計測の直前あるいはその最中に被検体位置計測を行うため、正確な計測データの移動・変形処理を行うことができ、より精度の良い感度補正並びに画像表示を行うことができる。
【実施例３】
【００４６】
次に、第３の実施例について、図５Ａ、図５Ｂ、図６を用いて説明する。前出の実施例と異なる部分は、感度布計測データに対し、マルチプルコイルを構成する複数のＲＦ受信コイル501、502、503、504から受信されるデータ505、506、507、508毎に処理を行うことである。以下、上述の実施例と異なる箇所のみ説明し、同じ箇所の説明は省略する。
【００４７】
本実施例においては、図５Ａに示すように、位置・大きさである位置情報を計測する一次元計測において、マルチプルコイルを構成する複数のＲＦ受信コイル501、502、503、504からのデータを一次元計測する際に合成するのではなく、ＲＦ受信コイル501、502、503、504毎に3軸方向の位置・大きさである位置情報を算出する。すなわち、図５Ｂに示すように、感度分布計測前、および本計測前に各ＲＦ受信コイル毎に取得した２つの位置計測用のデータより、複数の各ＲＦ受信コイルごとの移動・変形を示す変位量を算出し、この変位量に基づき、各ＲＦ受信コイルの計測データを用いてそれぞれ変位させた後に、合成画像509を作成する。その後は通常の感度補正処理と同じである。
【００４８】
第３の実施例の動作について図6のフローチャートを用いて説明する。以下、上述した実施例と異なる箇所のみ説明し、同じ箇所の説明は省略する。
【００４９】
ステップ301にて、マルチプルコイルを形成する複数のＲＦ受信コイル501、502、503、504毎に複数の感度分布計測を行う。感度分布計測データより、ＲＦ受信コイル毎に一次元計測データを抽出する。計測したデータに対し閾値処理を行い、被検体の軸ごとの位置と大きさである位置情報を測定する(S301)。この際、使用コイルはマルチプルコイルで行う。そして、マルチプルコイル各々からのデータを合成せず、上述のとおりＲＦ受信コイル毎に位置と大きさあるいは形状を示す位置情報を測定する。
【００５０】
ステップ30２にて、ステップ301と同様の計測と処理を行い、本計測時の被検体の位置検出として、各軸の被検体位置と大きさである位置情報を計測する(S302)。ここでマルチプルコイルを構成する複数のＲＦ受信コイルのデータを合成せず、コイルエレメント毎に位置と大きさ或いは形状を示す位置情報を測定する。
【００５１】
ステップ305の本計測を行っている間に、ステップ303、ステップ304およびステップ311の処理を行う。
【００５２】
本実施例においては、ステップ303にて、ステップ301とステップ302から得た被検体位置と大きさ或いは形状を示す位置情報のコイルエレメント毎の差分より、各軸の変位量あるいは移動量をコイルエレメント毎に算出する(S303)。ステップ304にて、算出した変位量あるいは移動量に基づいてコイルエレメント毎に、感度分布計測画像の変位処理、移動処理を行う(S304)。
【００５３】
ステップ311にて、マルチプルコイルを構成する複数のコイルエレメント各々の感度分布計測画像データを合成する(S311)。その他はこれまでの実施形態と同様である。
【００５４】
本実施例によれば、マルチプルコイルの各エレメントが独立して動くようなケースに対してもその補正を正確に補償することが可能となり、局所的な動きや移動に対して、より正確な計測データの移動・変形処理を行うことができ、より精度の良い感度補正並びに画像表示を行うことができる。
【実施例４】
【００５５】
次に、図７を用いて第４の実施例を説明する。前出の実施例と異なる部分は、感度分布計測画像ではなく、ＲＦ受信コイル毎に感度マップを作成しそれについて移動、変形を行い、その後、感度マップの合成処理を行う点である。
【００５６】
第４の実施例の動作について、図7を用いて説明する。以下異なる箇所のみ説明し、同じ箇所の説明は省略する。
【００５７】
ステップ301でのコイルエレメント毎の感度分布計測の後、ステップ312において、コイルエレメントごとに感度マップを作成する感度マップ作成処理を行う(S312)。
【００５８】
そして、ステップ305の本計測を行っている間に、ステップ303、ステップ304およびステップ313の処理を行う。ステップ304にて、コイルエレメント毎に算出した感度マップ画像の移動処理を、ステップ303にて取得した各軸の移動量と変形量に基づき、実行する。
【００５９】
続いて、ステップ313において、コイルエレメント毎に移動変形した感度マップ画像の合成処理を行い合成感度マップを作成処理を実行する(S313)。
【００６０】
以後のステップ305、306、307の処理は、先の実施例と同様であり、最後に補正処理後の画像をディスプレイに表示する。
【産業上の利用可能性】
【００６１】
以上詳述した本発明は、ＮＭＲ信号を測定し、核の密度分布や緩和時間分布等を画像化するＭＲＩ装置、特に受信に使用するＲＦ受信コイルの感度分布データに起因する画像の感度不均一を補正する画像補正技術として有用である。
【符号の説明】
【００６２】
１…被検体、２…静磁場発生系、３…傾斜磁場発生系、４…シーケンサ、５…送信系、６…受信系、７…信号処理系、８…中央処理装置（ＣＰＵ）、９…傾斜磁場コイル、１０…傾斜磁場電源、１１…高周波発信器、１２…変調器、１３…高周波増幅器、１４ａ…高周波コイル（送信コイル）、１４b…高周波コイル（受信コイル）、１５…信号増幅器、１６…直交位相検波器、１７…A/D変換器、１８…磁気ディスク、１９…光ディスク、２０…ディスプレイ、２１…ROM、２２…RAM、２３…トラックボール又はマウス、２４…キーボード。
【図１】
0005484001.tif 000002
【図２Ａ】
0005484001.tif 000003
【図２Ｂ】
0005484001.tif 000004
【図２Ｃ】
0005484001.tif 000005
【図２Ｄ】
0005484001.tif 000006
【図２Ｅ】
0005484001.tif 000007
【図３Ａ】
0005484001.tif 000008
【図３Ｂ】
0005484001.tif 000009
【図４Ａ】
0005484001.tif 000010
【図４Ｂ】
0005484001.tif 000011
【図５Ａ】
0005484001.tif 000012
【図５Ｂ】
0005484001.tif 000013
【図６】
0005484001.tif 000014
【図７】
0005484001.tif 000015